(57)【要約】【課題】発泡性の飲料をグラスに注いだときに泡発生部位から泡を発生させ、泡壁面にとどめてそれにより文字や絵を描くことのできる飲料容器を提供する。また、泡の浮力を利用し、飲料容器内に置かれた飾りや模型などを動かすことのできる飲料容器を提供する。【解決手段】発泡を促進する物質を壁面に配置し、その上面に気泡がそれ以上浮かび上がらないように容器内面に設けた、凹凸による物理的泡捕捉部位により泡を保持し、それにより文字や絵を描く。また物理的泡捕捉部位が泡から受ける力を利用し、飾りや模型を上昇乃至回転させる。【選択図】図１
2005288062.tif 000002
【特許請求の範囲】
【請求項１】
容器内部に泡発生部位を設けた発泡飲料用容器において、容器内部に設けられた突起構造もしくは窪みにより、泡を物理的に容器側面に捕らえ、任意のメッセージや記号などを表現することのできる発泡飲料用容器。
【請求項２】
通常の飲料容器に食用糊などで貼り付けることにより前記発泡飲料容器と同じ働きをする飲料容器を作ることのできる、泡発生部位と泡捕捉部位の合わさった透明なシート。
【請求項３】
容器内部に泡発生部を設けた発泡飲料用容器において、容器に発泡飲料を入れたときに、発生する泡の浮力を利用して、模型や飾りを回転乃至上昇させることのできる発泡飲料容器。
【請求項４】
前記請求項３の泡の浮力を利用して動くように泡発生部位と泡捕捉部位を備えて、飲料容器内に置くこと乃至食用糊などで貼り付けることにより、注いだ発泡飲料の泡の浮力から動力を得て動く模型や飾り。
【発明の詳細な説明】
【技術分野】
【０００１】本発明はビール、カクテル、炭酸ジュースなどの発泡性の飲料を入れる発泡飲料容器及び、飲料容器内に置かれる泡の浮力を動力として動く構造物に関する。特に発泡飲料容器については泡を側面に捕捉することで文字や記号を側面に表現することのできる物理的構造に関する。
【背景技術】
【０００２】発泡飲料の泡を利用した技術はいろいろなものがあり、容器内部側面での撥水性の違いにより容器側面に泡で文字を表現する技術や、容器内部の発泡部位の配列により液面に泡による文字を表現する技術が存在していた。しかし液面にある文字は泡の起こす対流や泡の拡散により、細かい文字の再現やきれいな直線を描くことは困難であった。さらに飲料容器内に動くことができる、衛生的で安価な構造物を置くことは困難であった。【０００３】
【特許文献】特開２００３−６１８０４  特開２００２−４５２８８  特開２０００−５１０４４  特開平９−２０６１９１  特開平８−２５２１５９  特開平８−１６８４３０  特表平９−５０２３６４
【発明の開示】
【発明が解決しようとする課題】
【０００４】従来の技術では、容器内部側面での撥水性の違いにより容器側面に泡で文字を表現したり、容器内部の泡発生部位の配列によって、液面に泡による文字を表現してきた。しかし液面にある文字は泡の起こす対流や泡の拡散により、細かい文字の再現やきれいな直線を描くことは困難であった。また、衛生的で安価な動く構造物を容器内に作るということも従来の技術では困難なことであった。本発明はこれらを解決するものである。
【課題を解決するための手段】
【０００５】  本発明では容器１の内面の泡発生部位２の上方に物理的な凹凸による泡捕捉部位３を設け、もしくは側面に付着させた氷などを用いて泡４を物理的に捕捉しようというものである。さらに、物理的に泡を捕捉することにより、泡捕捉部位は泡からの力を受けるため、それを動力源として飲料容器内の飾り、模型を動かすことが可能となる。【０００６】上記の発泡飲料用容器において、前記容器本体は、透明材料により形成することができる。透明材料としては、ガラスや透明樹脂材料等を使用することができる。【０００７】泡発生部位２は従来からある技術を用い、面の粗面化加工などにより作り出すものとする。泡捕捉部位３は物理的な構造物の凹凸により、泡の上昇を妨げることにより捕捉するものである。【０００８】泡捕捉部位３が捕捉可能な泡の大きさは、泡捕捉部位３の凸部の厚みや凹部の深さに比例する。発泡飲料から発生する気泡は発泡飲料内ある間は体積を増大させていくが、捕捉したい泡の大きさの最大値を泡捕捉部位３の形状により調節することが可能となる。【０００９】ひとつの泡捕捉部位３に捕らえられている泡の大きさは大小様々であるが、泡発生部位からの泡の供給を十分に増やすことにより、ひとつの泡捕捉部位３に捕らえられている大小の泡の集合の容積は一種の定常状態にある。【００１０】そのため容器内部側面に捕らえられた泡により描かれる線の太さは、泡捕捉部位３の形状に応じて、ほぼ決まった太さに調節出来る上に、泡の供給が十分なら泡捕捉部位３に沿って漏れなく泡が配列し、これにより図３を例にする様に、さまざまなデザインの文字や絵を、線が欠けたりゆがんだりすることなく鮮明に表現することが可能となる。【００１１】また図４のように泡捕捉部位３の凸部を滑らかな隆起にすることにより、容器に発泡飲料を注ぐ前の模様が目立ちにくくなる。そのため使用者が発泡飲料を注いでから文字のメッセージに気づくようにすることが可能となる。【００１２】図５と図６は数字の「３」を表示することの出来る飲料容器の内部から側面を見た図であるが、従来の技術ではこのような細い線で、揺らがない文字を描くことは困難である。図６に示すように、泡捕捉部位３の一部に泡発生部位２をつけることで複数の縦に並んだ泡捕捉部位３によって、平行に並ぶ線を描くことが可能で、漢字のような細かい文字も表現可能となる。【００１３】図８のように飲用容器内面に凹部をつくりそれを泡捕捉部位３として泡４を捕捉することも可能である。この場合、図１の飲料容器の上部や図９の飲料容器のように飲料容器の内部側面は上にすぼまっていく構造でなければならない。下方から上昇してくる泡を捕捉しなければならないからである。【００１４】図９で示すように泡捕捉部位３は泡を線ではなく面で捕捉することも可能である。【００１５】これらの泡発生部位２と泡捕捉部位３をあわせて文字や模様を表す構造は、図７のような泡発生部位２と泡捕捉部位３を持つシート５を通常の飲料容器に食用糊などで貼り付けることでも可能となる。【００１６】図１１から１７では泡捕捉部位３が受ける泡からの力を利用して飾りや模型を動かすことについて述べる。【００１７】図１１のように泡発生部位の上方に泡捕捉部位３をもった観覧���構造６を置くことにより回転させることが可能となる。図１１では泡発生部位２からの泡４が泡捕捉部位３に捕捉され、観覧車の左側の部位の浮力が右側よりも強く、矢印の方向に観覧車は回転していく。泡捕捉部位が鉛直方向になるあたりで捕捉されていた泡４は解放される。【００１８】図１３のように鉛直方向の車軸８をもつ水車構造７も可能である。泡発生部位２から発生した泡４は泡捕捉部位３において上昇するコースを変える力を水車７より受け、その反作用により水車７は水平方向に回転する。【００１９】図１５のような構造では泡捕捉部位３が支柱１０に沿って上下方向に移動可能である。泡発生部位２から発生した泡４を、泡捕捉部位３が捕捉していき、泡捕捉部位３の捕捉した泡が一定の浮力を持ったときに泡捕捉部位３は上昇し始め、図１４の状態のように支柱１０の上部の突起１１により泡捕捉部位３が傾き、泡４を解放することにより、泡捕捉部位３が浮力を失いまた沈んでいく、という動きを繰り返させることが可能となる。
【発明の効果】
【００２０】飲料容器に発泡飲料を注ぐと側面に鮮明な泡のメッセージが浮かび上がり、さらに容器内の構造物が動き出すことで、使用者に驚きと楽しみを提供することが可能となる。
【実施例１】
【００２１】図１１のように、通常の飲料容器内に本発明の観覧車の模型を入れることにより、簡単に発泡飲料の泡で回転する観覧車の模型を楽しむことが可能となる。模型や飾りが飲料容器と一体もしくは固定されていない場合には、傾けると構造物が飛び出す場合があるので、飲料を飲むときにはにはストロー９を用いて飲料容器を極力傾けないで済むようにすることが望まれる。
【実施例２】
【００２２】文字の浮かび上がる容器側面の構造と、泡の浮力により回転する水車構造を組み合わせることにより、図１のように遊園地を模倣した発泡飲料容器が造ることが可能となる。
【実施例３】
【００２３】水車構造を使用するといろいろな乗り物の動くガラス細工入りの発泡飲料容器が製造できる。例えばスクリューの動く潜水艦や、タイヤの動く自動車、プロペラの動く飛行機、風車（ふうしゃ）、かざぐるまなどである。各模型において、回転軸は底面に対し任意の角度を取ることが可能である。
【実施例４】
【００２４】図１５のような構造では泡捕捉部位３が支柱１０に沿って上下方向に移動可能である。泡発生部位２から発生した泡４を、泡捕捉部位３が捕捉していき、泡捕捉部位３の捕捉した泡が一定の浮力を持ったときに泡捕捉部位３は上昇し始め、図１４の状態のように支柱１０の上部の突起１１により泡捕捉部位３が傾き、泡４を解放することにより、泡捕捉部位３が浮力を失いまた沈んでいく、という動きを繰り返させることが可能となる。
【実施例５】
【００２５】図１７のようにシーソーのような構造を作りだせる。より上方にある側の泡捕捉部位は泡を解放しやすくなり浮力を失いやすく、より下方にある側の泡捕捉部位は隣接する泡形成部位から泡を供給され、より大きな浮力を得る。シーソー１２の左右での泡による浮力は変動しやすく、シーソー１２が水平位置で平衡状態に留まりにくくなっている。
【産業上の利用可能性】
【００２６】飲食店などでの使用や家庭での使用が考えられる。
【図面の簡単な説明】
【００２７】
【図１】凹部に泡を捕捉することで側面に模様を現す構造、縦軸水車構造、横軸水車構造を内部に有するグラスの使用例を示した斜視図である。
【図２】発泡飲料を注ぐ前の状態である、側面に泡形成部位と泡捕捉部位を有する飲料容器の斜視図である。
【図３】発泡飲料を注いだ状態で「Ｖ」の文字を表示している、側面に泡形成部位と泡捕捉部位を有する飲料容器の斜視図である。
【図４】図３の飲料容器の断面図である。
【図５】文字の「３」を表すことのできる泡捕捉部位と泡形成部位を容器内面から見た図である。
【図６】発泡性飲料を注いだ状態での、「３」の文字を表すことのできる泡捕捉部位と泡形成部位を容器内面から見た図である。
【図７】図２と同様の泡形成部位と泡捕捉部位をもち、通常容器に貼り付けることのできる透明なシートを示した正面図である。
【図８】図７のシートの断面図である。
【図９】面状に泡を配置することのできる飲料容器の斜視図である。
【図１０】図９の、面で文字や図形を表すことのできる飲料容器の断面図である。
【図１１】鉛直方向に対して垂直な軸を持つ観覧車６の飲料容器内での利用例を示す正面図である。
【図１２】図１１の観覧車６の泡捕捉部位３を示した斜視図である。
【図１３】鉛直方向に平行な軸を持つ水車の利用例の斜視図である。
【図１４】図１３の水車の、回転軸を通る平面で切った断面図である。
【図１５】泡捕捉部位が支柱に沿って昇降する構造を示した斜視図である。
【図１６】図１５の泡捕捉部位が泡を放す時の断面図である。
【図１７】シーソー構造を示した正面図である。
【符号の説明】
【００２８】１．  グラス本体
２．  泡発生部位
３．  泡捕捉部位
４．  泡
５．  シート
６．  観覧車
７．  水車構造
８．  車軸
９．  ストロー
１０．支柱
１１．突起
１２．シーソー
１３．シーソーの軸
１４．氷
【図１】
2005288062.tif 000003
【図２】
2005288062.tif 000004
【図３】
2005288062.tif 000005
【図４】
2005288062.tif 000006
【図５】
2005288062.tif 000007
【図６】
2005288062.tif 000008
【図７】
2005288062.tif 000009
【図８】
2005288062.tif 000010
【図９】
2005288062.tif 000011
【図１０】
2005288062.tif 000012
【図１１】
2005288062.tif 000013
【図１２】
2005288062.tif 000014
【図１３】
2005288062.tif 000015
【図１４】
2005288062.tif 000016
【図１５】
2005288062.tif 000017
【図１６】
2005288062.tif 000018
【図１７】
2005288062.tif 000019